(57)【特許請求の範囲】
【請求項１】
扉に回動可能に連結されたアームと、扉枠に取り付けられたアーム係止具とを備え、該アームは平行に延びる二本のレールと該二本のレールの一端を連結する連結部とを有し、該アーム係止具は、基台部と、該基台部から延出する軸部と、該軸部の先端に膨出形成される頭部とを有するドアガードにおいて、閉扉状態で該アームを該アーム係止具側に所定角度回動してガード位置とした際に、該二本のレールは、扉の回動中心と該アーム係止具の軸部の中間点とを結ぶ直線を半径とする円弧に沿って延びる形状を呈しており、該アームをガード位置とした扉が所定角度まで開扉される際に、該アームと該頭部との間における該軸部の延出方向のクリアランスと、該アームと該基台部との間における該軸部の延出方向のクリアランスとが一定に保たれることを特徴とするドアガード。
【発明の詳細な説明】
【技術分野】
【０００１】
本発明は、開扉を所定角度に制限して無用の人の不法侵入を阻止することができるドアガードに関するものである。
【背景技術】
【０００２】
この種のドアガードは、略水平方向に回動するようにその基端部が扉内面に取り付けられるアームと、該アームを係止すべく扉枠に取り付けられるアーム係止具とを備えている。アームは全体として略Ｕ字状に形成されることによりその上下方向略中央には長手方向に沿ってスリットが延設され、その折曲側が先端側となり開口側が基端側となるように扉内面に軸支される。また、アーム係止具は頭部が膨大した係止突起を有しており、該頭部が挿入できるように、アームの上下両腕部はその基端部において部分的に上下に更に離間して、アームの基端部にスリットと連通しスリットよりも幅広の導入口が形成されている。
【０００３】
そして、扉内面に沿った通常位置からアームを扉枠側に向けて所定角度起立させてガード位置とすると、扉枠から扉側に向けて、すなわち、扉が設置される扉枠の開口部内方に向けて略水平に突出した状態にあるアーム係止具の係止突起が、アームの導入口に挿入される。即ち、アームの上下両腕部間に係止突起が位置して、アームと係止突起とは上下に重合した状態となる。
【０００４】
かかるガード位置にアームをセットした後に開扉すると、係止突起は導入口からスリットへと進入してスリット内をアーム先端側へと相対移動する。係止突起がスリット内に侵入すると、その頭部がアームの上下腕部を係止してその通常位置への復帰を阻止する。そして、扉が所定角度まで開くと、係止突起の軸部がアームの先端の上下両端部を連結する連結部に当接し、それにより、その角度以上の開扉が阻止される。
【０００５】
ところで、このような従来のドアガードにおいては、閉扉状態でアームを扉枠側に向けて所定角度起立させてガード位置にすると、アームは扉内面に対して垂直に真っ直ぐ延びる形状となっている。（特許文献１参照）
【０００６】
従って、アームがガード位置にセットされた状態で扉が所定角度まで開扉する際に、アームはアーム係止具の基台部や係止突起と接触することになり、アーム係止具に傷が付いたり、アーム係止具の塗装が剥がれてしまうという問題を有している。
【０００７】
【特許文献１】特開２００６−２４１７９４号公報（図５）
【発明の開示】
【発明が解決しようとする課題】
【０００８】
本発明は上記従来の問題に鑑みてなされ、アームがガード位置にセットされた状態で扉が所定角度まで開扉する際に、アームがアーム係止具の基台部や係止突起と接触すること防ぐことが可能なドアガードを提供することを課題とする。
【課題を解決するための手段】
【０００９】
上記課題を解決するため、本発明は、扉２に回動可能に連結されたアーム４と、扉枠１に取り付けられたアーム係止具３とを備え、該アーム４は平行に延びる二本のレール４ａ、４ｂと該二本のレール４ａ、４ｂの一端を連結する連結部４ｃとを有し、該アーム係止具３は、基台部３ｃと、該基台部３ｃから延出する軸部３ｂと、該軸部３ｂの先端に膨出形成される頭部３ａとを有するドアガードにおいて、閉扉状態で該アーム４を該アーム係止具３側に所定角度回動してガード位置とした際に、該二本のレール４ａ、４ｂは、扉２の回動中心と該アーム係止具３の軸部３ｂの中間点Ｐとを結ぶ直線を半径Ｒとする円弧Ｑに沿って延びる形状を呈しており、該アーム４をガード位置とした扉２が所定角度まで開扉される際に、該アーム４と該頭部３ａとの間における該軸部３ｂの延出方向のクリアランスＳ１と、該アーム４と該基台部３ｃとの間における該軸部３ｂの延出方向のクリアランスＳ２とが一定に保たれることを特徴とするドアガードである。
【発明の効果】
【００１０】
本発明によれば、アームがガード位置にセットされた状態で扉が所定角度まで開扉する際、アームはアーム係止具の頭部と基台部との間に略一定のクリアランスを保って移動することになるので、アームとの接触によってアーム係止具が傷ついたり、アーム係止具の塗装が剥がれたりすることを防止できる。
【発明を実施するための最良の形態】
【００１１】
以下、本発明の実施の形態について図面を用いて説明する。
【００１２】
図１乃至図５は、本発明によるドアガードの実施例を示す図である。尚、図１乃至図５において図の断面を示すハッチングは省略されている。
【００１３】
図１及び図２に示すように、このドアガードは、外開き用の扉２に二本の軸５、５を介して起倒可能すなわち略水平方向に回動可能に連結されたアーム４と、扉枠１に取り付けられたアーム係止具３とを備える。軸５、５は夫々図示しない抜け止め手段を備えており、アーム４をベース６に回動可能に取り付けている。
【００１４】
図１に示すように、アーム４は金属材料により形成された略Ｕ字状部材であり、平行に延びる二本のレール４ａ、４ｂと、二本のレール４ａ、４ｂの一端を連結する連結部４ｃを具備する。アーム４は、二本のレール４ａ、４ｂが上下になって平行に延びるように扉２の内表面２ａ上に配置される。
【００１５】
ベース６はネジ９、９により扉２の内表面２ａ上に固定され、このベース６の上下の腕片６ａ、６ｂにアーム４の二本のレール４ａ、４ｂの他端が二本の軸５、５で回動可能に支持されることにより、アーム４がベース６に対して略水平方向に回動可能となり、扉２の内表面２ａ上において起倒可能となっている。
【００１６】
図１に示すように、アーム４には、閉扉状態からのアーム４の略水平方向への回動によりアーム係止具３の頭部３ａを貫通させる貫通孔７と、開扉時にアーム係止具３の軸部３ｂをアーム４の連結部４ｃまでスライドさせる貫通孔７に連なる案内溝８とが設けられる。貫通孔７はアーム４のアーム係止具３側に形成される。具体的にはアーム４における二本のレール４ａ、４ｂ間であって、ベース６側に寄った箇所に形成される。案内溝８は、アーム４の二本のレール４ａ、４ｂ間に貫通孔７から連結部４ｃに向かって延びるように形成され、貫通孔７よりも小さい幅で形成される。
【００１７】
図１及び図２に示すように、アーム係止具３は扉枠１から扉２の内表面２ａに沿うように突出している。アーム係止具３は、ネジ１０、１０により扉枠１上に固定される基台部３ｃと、この基台部３ｃから延出する軸部３ｂと、軸部３ｂの先端に膨出形成された頭部３ａとを有している。頭部３ａは貫通孔７の開口よりも小さく、図１の閉扉状態においてアーム４を扉２の内表面上でアーム係止具３側に所定角度回動させると、頭部３ａはアーム４の貫通孔７を貫通し、アーム４は図２に示すガード位置となる。尚、アーム４とベース６の間には図示せぬクリックストップ機構が設けられており、アーム４はこのクリックストップ機構によりガード位置に保持される。
【００１８】
図３に示すように、閉扉状態においてアーム４がガード位置に回動された際、レール４ａ、４ｂは、扉２の回転中心Ｏとアーム係止具３の軸部３ｂの中間点Ｐとを結ぶ直線を半径Ｒとする円弧Ｑに沿って延びる形状を呈している。軸部３ｂの中間点Ｐとは、頭部３ａの軸線上にあって、軸部３ｂの軸線方向の長さの中間に位置する点である。
【００１９】
レール４ａ、４ｂが扉２の回転中心Ｏとアーム係止具３の軸部３ｂの中間点Ｐとを結ぶ直線を半径Ｒとする円弧Ｑに沿って延びる形状を呈していることにより、アーム４をガード位置とした扉２が所定角度まで開扉される際（図４参照）には、二本のレール４ａ、４ｂは図３に示す円弧Ｑに沿って移動することになる。図５に示すように、アーム４はアーム係止具３の頭部３ａとの間にクリアランスＳ１を、アーム係止具３の基台部３ｃとの間にはクリアランスＳ１と同じ大きさのクリアランスＳ２を有しているが、レール４ａ、４ｂが円弧Ｑに沿って移動するので、クリアランスＳ１及びＳ２はレール４ａ、４ｂが移動する際も略一定に保たれ、レール４ａ、４ｂがアーム係止具の頭部３ａ又は基台部３ｃに接触することが無い。
【００２０】
本発明のドアガードは、上述した実施の形態に限定されず、特許請求の範囲で記載した範囲で種々の変形や改良が可能である。
【図面の簡単な説明】
【００２１】
【図１】ドアガードの正面図である。
【図２】閉扉時にアームをガード位置とした状態を示すドアガードの平面図である。
【図３】ドアガードが扉と扉枠に取り付けられた状態を示す平面図である。
【図４】アームをガード位置として開扉する状態を示すドアガードの平面図である。
【図５】図４のＡ−Ａ断面図である。
【符号の説明】
【００２２】
１    扉枠
２    扉
３    アーム係止具
３ａ  頭部
３ｂ  軸部
３ｃ  基台部
４    アーム
４ａ  レール
４ｂ  レール
４ｃ  連結部
Ｏ    扉の回動中心
Ｐ    軸部の中間点
Ｑ    円弧
Ｒ    半径
【図１】
0005043576.tif 000002
【図２】
0005043576.tif 000003
【図３】
0005043576.tif 000004
【図４】
0005043576.tif 000005
【図５】
0005043576.tif 000006